(57)【要約】【課題】湯切り口を形成するために即席食品容器用蓋材の一部の湯切り口切り取り部を切り取るための切り取り線に半切れ加工等を必要としない湯切り機能付き即席食品用容器に用いる即席食品容器用蓋材を提供することにある。【解決手段】本発明は、開口部が略矩形状の容器の一隅角を直線状の切り取り線で切り取ることにより湯切り口を形成する湯切り機能を備えた即席食品用容器に使用する蓋材であって、該蓋材の材料に、一方向に延伸した一軸延伸プラスチックフィルム層を含む積層体を使用し、この一軸延伸プラスチックフィルム層の延伸方向が切り取り線の方向と同一方向になるように所定の形状に打ち抜き作製したことを特徴とする即席食品容器用蓋材であり、切り取り線の少なくとも一端に切り込みを設けることが特徴である。【選択図】図１
2004224360.tif 000002
【特許請求の範囲】
【請求項１】
開口部が略矩形状の容器の一隅角を直線状の切り取り線で切り取ることにより湯切り口を形成する湯切り機能を備えた即席食品用容器に使用する蓋材であって、該蓋材の材料に、一方向に延伸した一軸延伸プラスチックフィルム層を含む積層体を使用し、前記一軸延伸プラスチックフィルム層の延伸方向が前記切り取り線の方向と同一方向になるように所定の形状に打ち抜き作製したことを特徴とする即席食品容器用蓋材。
【請求項２】
前記切り取り線の少なくとも一端に切り込みを設けたことを特徴とする請求項１に記載の即席食品容器用蓋材。
【発明の詳細な説明】
【０００１】
【発明の属する技術分野】
本発明は、トレー状、カップ状等の容器に熱湯を注いだ後、熱湯を捨てて食するようにした麺類、米飯類等の熱湯を排出するための湯切り機能を備えた即席食品用容器に使用する即席食品容器用蓋材に関するものである。
【０００２】
【従来の技術】
従来、焼きそば、スパゲッティ等の即席食品では、内容物を収容した湯切り機能を備えた容器の中に熱湯を注入して柔らかくほぐした後、湯を排出して味付けして食している。従って、容器の中に熱湯を注湯口から注入する作業と、湯切り口から排出する作業が必要となっている。
【０００３】
この従来の湯切り機能を備えた即席食品用容器では、発泡スチロール製の容器本体に、紙を基材とし、その内面側にバリア層であるアルミニウム箔と熱接着性のある樹脂層を順次積層した積層体を材料とした即席食品容器用蓋材を、容器本体の開口部上縁に熱溶着により剥離可能に接着して、容器本体を密封シールしている。
【０００４】
この即席食品容器用蓋材Ｐにおいては、図６に示すように、湯切り機能を備えた即席食品用容器Ｑの注湯口Ｄ（図示せず）の部位には容器本体の外方に突出して注湯口摘みＦが設けられ、また、注湯口Ｄとは反対側の部位には湯切り口Ｂ（図示せず）を形成するための切り取り線Ｒが設けられている。この切り取り線Ｒは、即席食品容器用蓋材Ｐの表面側から半切れ加工により半切れ、あるいは半切れミシン目を入れることにより、直線状に切り取り易くしている。また、この切り取り線Ｒの両端部には切り込み（ノッチ）ｒを設け、切り取り線Ｒを切り取る際のきっかけとしている（例えば、特許文献１参照。）。
【０００５】
そして、実際に使用する時には、湯切り作業を行なうために、切り取り線Ｒに沿って即席食品容器用蓋材Ｐを一部の湯切り口切り取り部Ｅを切り取って湯切り口Ｂを形成し、その湯切り口Ｂから容器を傾けて湯を捨て、注湯口Ｄから即席食品容器用蓋材Ｐを全部剥がして中身を食している。
【０００６】
【特許文献１】
特開２００１−２４０１４９号公報
【０００７】
【発明が解決しようとする課題】
しかしながら、従来の形状において、切り取り線を半切れ加工で設ける方法は、半切れの深浅の精度が不安定であり、次のような問題を生じる。半切れ加工が不充分で半切れが浅い場合、直線状に切り取ることが出来ず、湯切り口が所定の大きさよりも小さくなると、湯切りがスムースにいかず、一方、湯切り口が所定の大きさよりも大きくなると、内容物も排出されやすくなってしまうという問題がある。また、半切れと切り込み（ノッチ）の位置が合わない場合も同様である。逆に、半切れが深い場合、即席食品容器用蓋材の裏面側まで貫通してしまい、密封性が損なわれ外からの粉塵、細菌等が入りやすく、また、内容物の匂いが漏れやすくなるため、害虫の誘引、侵入の原因となるという問題がある。
【０００８】
本発明は、上記のような問題点を解決するためになされたもので、湯切り口を形成するために即席食品容器用蓋材の一部の湯切り口切り取り部を切り取るための切り取り線に半切れ加工等を必要としない湯切り機能付き即席食品用容器に用いる即席食品容器用蓋材を提供することを目的とするものである。
【０００９】
【課題を解決するための手段】
上記の目的を達成するための本発明は、開口部が略矩形状の容器の一隅角を直線状の切り取り線で切り取ることにより湯切り口を形成する湯切り機能を備えた即席食品用容器に使用する蓋材であって、該蓋材の材料に、一方向に延伸した一軸延伸プラスチックフィルム層を含む積層体を使用し、前記一軸延伸プラスチックフィルム層の延伸方向が前記切り取り線の方向と同一方向になるように所定の形状に打ち抜き作製したことを特徴とする即席食品容器用蓋材であり、前記切り取り線の少なくとも一端に切り込みを設けることが特徴である。
【００１０】
本発明によれば、即席食品容器用蓋材の材料に、一方向に延伸した一軸延伸プラスチックフィルム層を積層した積層体を使用し、湯切り口を形成するために即席食品容器用蓋材の一部を切り取るための切り取り線の方向と一軸延伸プラスチックフィルム層の延伸方向を同一方向とすることによって、切り取り線に半切れ加工等を施す必要がなく、容易に切り取り線に沿って即席食品容器用蓋材の一部を切り取って湯切り口を形成することができる湯切り機能付き即席食品用容器に用いる即席食品容器用蓋材を得ることができるものである。
【００１１】
【発明の実施の形態】
本発明の即席食品容器用蓋材の実施の形態について以下に詳細に説明する。図１は、本発明の即席食品容器用蓋材の実施の形態の一実施例を示す斜視図であり、図２は、その平面図である。
【００１２】
本発明の即席食品容器用蓋材１は、図１に示すように、上方が解放された四角形のトレー形状の容器本体１１の外方に突出して設けられたフランジ１２（図示せず）の開口部を密封シールする湯切り機能付き即席食品用容器Ａの即席食品容器用蓋材１である。
【００１３】
この即席食品容器用蓋材１の一つの対角線上に位置する一方の隅角２には、突出して注湯口摘みＦが設けられ、もう一方の隅角３には、この隅角３を形成する二辺の一方の辺４からもう一方の辺５に渡り、容器本体１１の隅角３の内側を斜めに横切るように湯切り口Ｂを形成するための切り取り線Ｃの支持線が設けられている。この切り取り線Ｃにより、即席食品容器用蓋材１の隅角３の湯切り口切り取り部Ｅを切り取り、即席食品用容器Ａに湯切り口Ｂを形成する。この切り取り線Ｃは、特にミシン目、半切れ等の加工が施されているものではなく、後述する即席食品容器用蓋材１の材料構成により切り取り可能としている。
【００１４】
また、切り取り線Ｃの両端である即席食品容器用蓋材１の両端縁には、切り取り線Ｃで即席食品容器用蓋材１を引き裂くきっかけとなり、切り取り線Ｃに沿って湯切り口切り取り部Ｅの切り取りを容易にするための切り込みｃが設けられている。この切り込みｃは、切り取り線Ｃの一方の端部に設けてもよい。そして、この切り込みｃの形状としては、Ｉノッチ、Ｖノッチ等を好適に使用することができる。
【００１５】
本発明の即席食品容器用蓋材１の材料として使用する積層体２１は、一方向に延伸した一軸延伸プラスチックフィルム層２２を含んでいることが特徴である。この一軸延伸プラスチックフィルム層２２を含んでいることによって、積層体２１が延伸方向に引き裂きやすくなる。この一軸延伸プラスチックフィルム層２２は、積層体２１のいずれの位置の層であってもよい。一例をあげれば、従来の積層体の代表的な構成である図３−ａに示すような＜紙層２３／ポリエチレン層２４／アルミニウム層２５／ヒートシール樹脂層２６＞に加えて、アルミニウム層２５とヒートシール樹脂層２６の間に一軸延伸プラスチックフィルム層２２を設けて図３−ｂに示すようにな＜紙層２３／ポリエチレン層２４／アルミニウム層２５／一軸延伸プラスチックフィルム層２２／ヒートシール樹脂層２６＞等とすることができる。
【００１６】
また、一軸延伸プラスチックフィルム層２２には、一軸延伸ポリエチレンフィルム、一軸延伸ポリプロピレンフィルム、一軸延伸ポリ塩化ビニルフィルム、一軸延伸ポリスチレンフィルム、一軸延伸ポリエステルフィルム等を使用することができる。
【００１７】
この積層体２１は、各層をラミネート、押出しコーティング法等の公知の方法で積層して作製することができる。
【００１８】
また、紙層２３の表面には必要に応じて印刷表示層を設けることができる（図示せず）。
【００１９】
つぎに、この一軸延伸プラスチックフィルム層２２を含んだ積層体２１を使用して本発明の即席食品容器用蓋材１とするには、作製した積層体２１を所定の形状に打ち抜き、同時に切り込みｃを加工して作製することができる。この時、図４の製造工程での面付けの概略図に示すように、一軸延伸プラスチックフィルム層２２の延伸方向を湯切り口Ｂを設けるために湯切り口切り取り部Ｅを切り取る切り取り線Ｃの方向と同一方向とすることが重要であり、このようにすることによって、切り取り線Ｃを半切れ等の加工をすることなく引き裂くことができ、湯切り口Ｂを容易に形成することができる。
【００２０】
そして、実際に、使用する時には、まず、図５−ａに示すように、注湯口摘みＦを摘んで機能付き即席食品用容器Ａを一部開口して注湯口Ｄとし、この注湯口Ｄから熱湯を注ぎ、再び蓋をして所定時間経過後、湯切り作業を行なうために、つぎに、図５−ｂに示すように、切り込みｃを取っ掛かりとして切り取り線Ｃ引き裂き、即席食品容器用蓋材１の一部の湯切り口切り取り部Ｅを切り取って湯切り口Ｂを形成し、その湯切り口Ｂから湯切り機能付き即席食品用容器Ａを傾けて湯を捨て、注湯口Ｄから即席食品容器用蓋材１を全部剥がして中身を食すことができる。
【００２１】
なお、上述したように、機能付き即席食品用容器Ａの開口部の形状を四角形状としているが、開口部の形状が、円形、長円形等の場合にも適用することができるものである。
【００２２】
【実施例】
以下に本発明の即席食品容器蓋材の実施例を、即席焼きそばを内容物した即席食品容器用の例を上げて、さらに具体的に説明する。
【００２３】
＜実施例１＞
まず、容器本体１１を、発泡ポリスチレンシートの真空成形法により成形した。その形状、寸法としては、その開口部の内寸が１５０ｍｍ×１３０ｍｍ、深さが５０ｍｍ、フランジ１２の幅が１０ｍｍとした。
【００２４】
また、即席食品容器用蓋材１は、その外形は、容器本体１１の外形とほぼ同じとし、一つの対角線上に位置する一方の隅角２には、突出して注湯口摘みＦを設け、もう一方の隅角３には、この隅角３を形成する二辺の一方の辺４からもう一方の辺５に渡り、容器本体１１の隅角３の内側を斜めに横切るように湯切り口Ｂを形成するための切り取り線Ｃの支持線を設けた。
【００２５】
つぎに、即席食品容器用蓋材１を一軸延伸プラスチックフィルム層を含む積層体を材料として使用して作製した。この積層体の構成は、コート紙８４．５ｇ／ｍ２で、ポリエチレン１５μｍ、アルミニウム箔９μｍ、一軸延伸ポリエステルフィルム２０μｍ、ヒートシール樹脂２５μｍとした。一軸延伸ポリエステルフィルムとしては、商品名：エンブットＰＣ（ユニチカ株式会社製）を使用した。ヒートシール樹脂としては、はＥＶＡ系の樹脂を押出ラミネート法により製膜した。
【００２６】
また、即席食品容器用蓋材１の製造は、巻取状のコート紙（８４．５ｇ／ｍ２）に、グラビア印刷法にて表面側にインキによる印刷層を設けた後、非印刷面と９μｍのアルミニウム箔とをサンドイッチラミネート法を用い、接着樹脂層として低密度ポリエチレンを１５μｍの厚さに押出して貼合した。そして、貼合したアルミニウム箔の内面側に一軸延伸ポリエステルフィルム２０μｍを接着剤を使用して貼合した。さらに、貼合した一軸延伸フィルムの内面側に低温接着性を有するＥＶＡ等のオレフィン系樹脂からなるシーラント剤を２５μｍの厚さに押出ラミネートにより製膜した巻取とした。
【００２７】
つづいて、このラミネートされた巻取状の積層体２１を枚葉状に大断ちした後、小断ち・抜き加工を行い実施例の即席食品容器用蓋材１を作製した。この時に、図に示すように、切り取り線Ｃの方向と一軸延伸ポリエステルフィルムの延伸方向とが同一方向になるような位置となるように、小断ち・抜き加工を行った。本実施例においては、巻取から大断ちしたが、巻取状にて抜き加工する場合もある。
【００２８】
つぎに、容器本体１１に、焼きそば麺９０ｇと、小袋詰めされたかやく、香辛料、ソースを容器本体に入れ、即席食品容器用蓋材１を載置して容器本体１１のフランジ１２において密封シールして湯切り機能付き即席食品用容器Ａを得た。
【００２９】
以上のようにして作製した湯切り機能付き即席食品用容器Ａを、実際に、使用するために、まず、注湯口摘みＦを摘んで機能付き即席食品用容器Ａを一部開口して注湯口Ｄとし、この注湯口Ｄから６００ｃｃの熱湯を注ぎ、再び蓋をして所定時間経過後、湯切り作業を行なうために、切り取り線Ｃに沿って即席食品容器用蓋材１を一部切り取って湯切り口Ｂを形成し、その湯切り口Ｂから機能付き即席食品用容器Ａを傾けて湯を捨て、注湯口Ｄから即席食品容器用蓋材１を全部剥がして中身を食すことができた。この時、切り取り線Ｃに半切れ加工等を施すことなく、湯切り切り取り部Ｅを切り取り湯切り口Ｂを形成することができた。また、製造工程において、切り取り線Ｃに半切れ加工を施す必要がなく、即席食品容器用蓋材１の打ち抜き加工を容易に行なうことができた。
【００３０】
以上の説明により明らかなように、容器本体１１と即席食品容器用蓋材１とは、完全に分離しているので分別回収が容易であった。
【００３１】
【発明の効果】
上述したように、本発明の即席食品容器用蓋材では、材料として一方向に延伸した一軸延伸プラスチックフィルム層を積層した積層体を使用し、湯切り口を形成するために即席食品容器用蓋材の一部である湯切り口切り取り部を切り取るための切り取り線の方向と一軸延伸プラスチックフィルム層の延伸方向を同一方向とすることによって、延伸方向に引き裂きやすく、また、切り取り線に半切れ加工を施す必要がなく、そのために、半切れの深浅の精度の不安定による、半切れ加工が不充分で半切れが浅い場合、直線状に切り取ることが出来ず、湯切り口が所定の大きさよりも小さくなると、湯切りがスムースにいかず、一方、湯切り口が所定の大きさよりも大きくなると、内容物も排出されやすくなってしまうという問題、あるいは、逆に、半切れが深い場合、即席食品容器用蓋材の裏面側まで貫通してしまい、密封性が損なわれ外からの粉塵、細菌等が入りやすく、また、内容物の匂いが漏れやすくなるため、害虫の誘引、侵入の原因となるという問題を解消するという効果を有している。
【図面の簡単な説明】
【図１】本発明の即席食品容器用蓋材の一実施例を示す斜視図である。
【図２】図１の即席食品容器用蓋材を示す平面図である。
【図３】従来および本発明の即席食品容器用蓋材の材料である積層体の層構成の一例を示す概略断面図である。
【図４】本発明の即席食品容器用蓋材の製造工程における面付けを示す概略図である。
【図５】本発明の即席食品容器用蓋材の使用方法を説明する図である。
【図６】従来の湯切蓋を備えた即席食品用容器を示す斜視図である。
【符号の説明】
Ａ    即席食品用容器
Ｂ    湯切り口
Ｃ    切り取り線
ｃ    切り込み
Ｄ    注湯口
Ｅ    湯切り口切り取り部
Ｆ    注湯口摘み
Ｐ    従来の即席食品容器用蓋材
Ｑ    従来の即席食品用容器
Ｒ    従来の切り取り線
ｒ    切り込み
１    即席食品容器用蓋材
２    隅角
３    隅角
４    辺
５    辺
１１    容器本体
１２    フランジ
２１    積層体
２２    一軸延伸プラスチックフィルム層
２３    紙層
２４    ポリエチレン層
２５    アルミニウム層
２６    ヒートシール樹脂層
【図１】
2004224360.tif 000003
【図２】
2004224360.tif 000004
【図３】
2004224360.tif 000005
【図４】
2004224360.tif 000006
【図５】
2004224360.tif 000007
【図６】
2004224360.tif 000008